(57)【要約】【課題】近似度が大きく同定される確率が高い被比較文字を優先的に表示できると共に、目視による文字同定を支援できるようにする。【解決手段】任意の文字を生成するための文字情報に基づいて文字同定を支援する場合に、複数の文字情報を取得して文字同定を支援する文字同定支援装置１０と、この文字同定支援装置１０により支援された文字同定に際して、この文字を生成して表示すると共に、この文字を同定する情報処理装置２０と、これら文字同定支援装置１０と情報処理装置２０とを接続する通信手段３０とを備え、基準情報と複数の被比較情報とを比較して、この文字に近似する被比較文字を文字同定支援装置１０により夫々抽出すると共に、抽出された被比較文字を、この文字に近似する順に並べて、この文字と共に情報処理装置２０により同一画面上に表示する。【選択図】        図１
2005031942.tif 000002
【特許請求の範囲】
【請求項１】
任意の文字を生成するための文字情報に基づいて当該文字同定を支援するシステムであって、
複数の前記文字情報を取得して前記文字同定を支援する文字同定支援装置と、
前記文字同定支援装置による支援の下で、前記文字を生成して表示すると共に、当該文字を同定する情報処理装置と、
前記文字同定支援装置と前記情報処理装置とを接続する通信手段と
を備え、
複数の前記文字情報の中で、当該文字を同定する際の基準となる文字情報を基準情報とし、当該基準情報と比較される文字情報を被比較情報としたとき、
前記基準情報と複数の前記被比較情報とを比較して前記文字に近似する被比較文字を前記文字同定支援装置により夫々抽出すると共に、抽出された当該被比較文字を当該文字に近似する順に並べて当該文字と共に前記情報処理装置により同一画面上に表示すること
を特徴とする文字同定支援システム。
【請求項２】
前記文字同定支援装置は、
前記基準情報と前記被比較情報とを比較する際に、
前記基準情報及び前記被比較情報をビットマップに夫々転写し、
前記基準情報又は前記被比較情報が転写された点に数値「１」を与え、当該転写がなかった点に数値「０」を与えるとき、
前記基準情報が転写されたビットマップでの列方向加算値と列数との関数曲線及び行方向加算値と行数との関数曲線を、前記被比較情報が転写されたビットマップでの列方向加算値と列数との関数曲線又は行方向加算値と行数との関数曲線との間で近似解析すること
を特徴とする請求項１に記載の文字同定支援システム。
【請求項３】
前記文字同定支援装置は、
前記被比較文字を前記情報処理装置により表示する際に、
ビットマップに転写された前記基準情報とビットマップに転写された前記被比較情報との減算値が「１」又は「−１」となる点に対応する部分を前記被比較文字において変色表示すること
を特徴とする請求項２に記載の文字同定支援システム。
【請求項４】
前記文字同定支援装置は、
前記情報処理装置による文字同定があった場合、
当該文字同定された前記被比較文字を他の文字に関する同定の際には被比較文字としないこと
を特徴とする請求項１に記載の文字同定支援システム。
【請求項５】
前記文字同定支援装置は、
前記情報処理装置による文字同定がなかった場合、
前記基準情報に対応する基準文字コードと関連付けたコード番号を生成すると共に、当該基準情報及び当該コード番号を前記情報処理装置に提供すること
を特徴とする請求項１に記載の文字同定支援システム。
【請求項６】
任意の文字を生成するための文字情報に基づいて当該文字同定を支援するシステムであって、
複数の前記文字情報を取得して前記文字同定を支援する文字同定支援装置と、
前記文字同定支援装置による支援の下で、前記文字を生成して表示すると共に、当該文字を同定する情報処理装置と、
前記文字同定支援装置と前記情報処理装置とを接続する通信手段と
を備え、
複数の前記文字情報の中で、当該文字を同定する際の基準となる文字情報を基準情報とし、当該基準情報と比較される文字情報を被比較情報としたとき、
前記基準情報と複数の前記被比較情報とを比較して前記文字に類似する被比較文字を夫々抽出すると共に、当該被比較文字及び前記文字の特徴を強調する処理を前記文字同定支援装置により実行し、当該特徴強調処理された当該被比較文字及び当該文字を前記情報処理装置により同一画面上に表示すること
を特徴とする文字同定支援システム。
【請求項７】
前記文字同定支援装置は、
前記被比較文字及び前記文字の特徴を強調する処理を複数回実行して当該被比較文字及び当該文字の特徴を分類すると共に、分類された前記被比較文字及び当該文字の特徴に関して、上位階層の前記被比較文字及び当該文字と下位階層の前記被比較文字及び当該文字との間を結線するツリー構造状に特徴強調処理された前記被比較文字及び当該文字を表示するためのデータを前記情報処理装置に提供すること
を特徴とする請求項６に記載の文字同定支援システム。
【請求項８】
前記文字同定支援装置は、
前記被比較文字を前記情報処理装置により表示する際に、
前記被比較文字と前記文字との相違部分を変色表示すること
を特徴とする請求項６に記載の文字同定支援システム。
【請求項９】
前記文字同定支援装置は、
前記情報処理装置による文字同定があった場合、
当該文字同定された前記被比較文字を他の文字に関する同定の際には被比較文字としないこと
を特徴とする請求項６に記載の文字同定支援システム。
【請求項１０】
前記文字同定支援装置は、
前記情報処理装置による文字同定がなかった場合、
前記基準情報に対応する基準文字コードと関連付けたコード番号を生成すると共に、当該基準情報及び当該コード番号を前記情報処理装置に提供すること
を特徴とする請求項６に記載の文字同定支援システム。
【請求項１１】
任意の文字を生成するための文字情報に基づいてネットワーク上で当該文字同定を支援する装置であって、
当該文字を同定する際の基準となる基準情報を記憶する記憶手段と、
前記記憶手段の入出力を制御する制御手段とを備え、
前記基準情報と比較される文字情報を被比較情報としたとき、
前記制御手段は、
複数の前記被比較情報を取得し、当該被比較情報と前記基準情報とを比較して前記文字に近似する被比較文字を夫々抽出すると共に、抽出された当該被比較文字を当該文字に近似する順に並べて当該文字と共に同一画面上に表示するためのデータを前記ネットワーク上で提供すること
を特徴とする文字同定支援装置。
【請求項１２】
前記制御手段は、
前記基準情報と前記被比較情報とを比較する際に、
前記基準情報及び前記被比較情報をビットマップに夫々転写し、
前記基準情報又は前記被比較情報が転写された点に数値「１」を与え、当該転写がなかった点に数値「０」を与えるとき、
前記基準情報が転写されたビットマップでの列方向加算値と列数との関数曲線及び行方向加算値と行数との関数曲線を、前記被比較情報が転写されたビットマップでの列方向加算値と列数との関数曲線又は行方向加算値と行数との関数曲線との間で近似解析すること
を特徴とする請求項１１に記載の文字同定支援装置。
【請求項１３】
前記制御手段は、
ビットマップに転写された前記基準情報とビットマップに転写された前記被比較情報との減算値が「１」又は「−１」となる点に対応する部分を前記被比較文字において変色表示するためのデータを前記ネットワーク上で提供すること
を特徴とする請求項１２に記載の文字同定支援装置。
【請求項１４】
前記制御手段は、
前記文字同定があった場合、
当該文字同定された前記被比較文字を他の文字に関する同定の際には被比較文字としないこと
を特徴とする請求項１１に記載の文字同定支援装置。
【請求項１５】
前記制御手段は、
前記文字同定がなかった場合、
前記基準情報に対応する基準文字コードと関連付けたコード番号を生成すること
を特徴とする請求項１１に記載の文字同定支援装置。
【請求項１６】
任意の文字を生成するための文字情報に基づいてネットワーク上で当該文字同定を支援する装置であって、
当該文字を同定する際の基準となる基準情報を記憶する記憶手段と、
前記記憶手段の入出力を制御する制御手段とを備え、
前記基準情報と比較される文字情報を被比較情報としたとき、
前記制御手段は、
複数の前記被比較情報を取得し、当該被比較情報と前記基準情報とを比較して前記文字に類似する被比較文字を夫々抽出すると共に、当該被比較文字及び前記文字の特徴を強調する処理を実行し、当該特徴強調処理された当該被比較文字及び当該文字を同一画面上に表示するためのデータを前記ネットワーク上で提供すること
を特徴とする文字同定支援装置。
【請求項１７】
前記制御手段は、
前記被比較文字及び前記文字の特徴を強調する処理を複数回実行して当該被比較文字及び当該文字の特徴を分類すると共に、分類された前記被比較文字及び当該文字の特徴に関して、上位階層の前記被比較文字及び当該文字と下位階層の前記被比較文字及び当該文字との間を結線するツリー構造状に特徴強調処理された前記被比較文字及び当該文字を表示するためのデータを前記ネットワーク上で提供すること
を特徴とする請求項１６に記載の文字同定支援装置。
【請求項１８】
前記制御手段は、
前記被比較文字と前記文字との相違部分を変色表示するためのデータを前記ネットワーク上で提供すること
を特徴とする請求項１６に記載の文字同定支援装置。
【請求項１９】
前記制御手段は、
前記文字同定があった場合、
当該文字同定された前記被比較文字を他の文字に関する同定の際には被比較文字としないこと
を特徴とする請求項１６に記載の文字同定支援装置。
【請求項２０】
前記制御手段は、
前記文字同定がなかった場合、
前記基準情報に対応する基準文字コードと関連付けたコード番号を生成すること
を特徴とする請求項１６に記載の文字同定支援装置。
【請求項２１】
任意の文字を情報処理する方法であって、
前記文字を生成するための文字情報を複数取得し、
取得された複数の前記文字情報の中で、当該文字を同定する際の基準となる文字情報を基準情報とし、当該基準情報と比較される文字情報を被比較情報としたとき、
前記基準情報と複数の前記被比較情報とを比較して前記文字に近似する被比較文字を夫々抽出し、
前記文字を同一画面上に表示すると共に、抽出された前記被比較文字を当該文字に近似する順に並べて表示すること
を特徴とする情報処理方法。
【請求項２２】
任意の文字を情報処理する方法であって、
前記文字を生成するための文字情報を複数取得し、
取得された複数の前記文字情報の中で、当該文字を同定する際の基準となる文字情報を基準情報とし、当該基準情報と比較される文字情報を被比較情報としたとき、
前記基準情報と複数の前記被比較情報とを比較して前記文字に類似する被比較文字を夫々抽出し、
抽出された前記被比較文字の特徴を強調する処理と共に、前記文字の特徴を強調する処理をし、
特徴強調処理された前記被比較文字及び当該文字を同一画面上に表示すること
を特徴とする情報処理方法。
【請求項２３】
前記被比較文字の特徴を強調する処理と共に、前記文字の特徴を強調する処理を複数回実行し、
複数回特徴強調処理される前記被比較文字及び当該文字を階層表示すると共に、当該階層表示される前記被比較文字及び当該文字の特徴を分類し、
分類された前記被比較文字及び当該文字の特徴に関して、上位階層の前記被比較文字及び当該文字と下位階層の前記被比較文字及び当該文字との間を結線するツリー構造状に特徴強調処理された前記被比較文字及び当該文字を表示すること
を特徴とする請求項２２に記載の情報処理方法。
【発明の詳細な説明】
【０００１】
【発明の属する技術分野】
本発明は、住民基本台帳ネットワークで接続されたシステムのように、１つの文字に対して複数の文字情報が重複して登録及び使用されたために複数の類似文字が存在するようなシステム及びこのようなシステム間での目視による文字同定及び重複文字情報の削除等に適用して好適な文字同定支援システム、文字同定支援装置及び情報処理方法に関する。
【０００２】
【従来の技術】
従来、コンピュータ等の情報処理装置における文字処理は、字形（グリフ：ｇｌｙｐｈ）に付番されたコード番号に基づいて実行され、このコード番号としては、ＪＩＳ漢字コード（情報交換用符号化漢字集合：ＪＩＳ  Ｘ  ０２０８：１９９７）のような公的規格により標準化された文字コード（符号化文字集合）が用いられてきた。
【０００３】
このような公的規格により標準化された文字コードでは、特に、人名及び地名等を正確に記載するために必要な文字が欠けてしまう。このため、標準化された文字コードに含まれない文字、即ち、外部文字（外字）が必要な場合、この外字を画像として形成するための外字情報を作成し、この外字情報に外字コード番号を付番することによって、外字の生成及び使用を可能にしている。
【０００４】
都道府県等の各地方自治体では、住民票等の文書類作成時に外字が必須であったため、各地方自治体の情報処理装置（システム）により外字情報を作成すると共に、この外字情報に個別の外字コード番号を付番して管理してきた。
【０００５】
近年、住民基本台帳ネットワーク（以下、住基ネットと記載）が実現され、各地方自治体のシステムがネットワーク化されたため、各地方自治体のシステムは、住民票等の文字情報をコード化された電子データとしてネットワークを介して共通利用できるようになった。
【０００６】
しかしながら、各地方自治体により使用されてきた外字コード（符号化外字集合）は、文字とコード番号との結び付きがそのシステム又は装置等に依存しているため、異なる環境では外字コード番号から一意に文字を決定できない。よって、各地方自治体が使用するシステムの間で文字情報を交換する場合、これらのシステムで使用する外字を相互に紐付け（関連付け）たり、重複文字を整理した別の統一文字表を用意して、このネットワークに接続する各システムの外字を相互に紐付けたり、或いは、文字コードではなく外字情報そのもの、即ち、画像（イメージ）として送受信したり、さらに受信側のシステムにおいて、この外字情報に新たに外字コード番号を付番して管理したりしなければならない。
【０００７】
従って、ネットワークにより接続されたシステム全体で見ると、１つの外字に対して重複する外字情報が夫々異なる外字コード番号を付与されたまま、同定されずに存在することになってしまう。このような外字情報及び外字コードの重複は、各地方自治体のシステムの負荷を増大させるばかりではなく、住基ネットを維持するためのインフラ整備の大きな障害となっている。
【０００８】
そこで、複数のシステムが個別に有する外字情報の全てを新たな外字コードに変換して記憶する変換サーバを設け、この変換サーバを介して文字情報を交換することによって、既存の外字情報の中から所望の外字を生成するための外字情報を抽出すると共に、ここで抽出された外字情報に各システムに固有の文字コードに対応させた外字コード番号を付番して管理できる技術が提案されている（例えば、特許文献１参照）。
【０００９】
【特許文献１】
特開２００２−３４２３１３号公報（第３−５頁、第１図）
【００１０】
【発明が解決しようとする課題】
ところで、従来方式の外字情報の変換システムによれば、複数のシステムが個別に有する外字を含む多数の文字を比較して同一文字を同定する作業は、人間的には同一文字であっても、フォントの物理的な相違に起因してシステム的に同定することのできない文字同士をも１つ１つ抽出して確認しなければならないため、人間の目視による煩雑な作業であった。例えば、人間的には同じ文字であっても、フォントにより字形画像を生成するビット列の値及び／又はビット列の組合せが異なるため、ビット列の照合により同定文字候補の組合せを抽出するというようなことはできなかった。従って、ネットワーク上の複数のシステムが有する文字を重複することなく把握して新たな文字コードで管理できるように変換サーバを構築するためには、長い時間及び膨大な作業量並びにこれらに伴う多大な費用が必要であった。
【００１１】
そこで、本発明は上述した問題を解決したものであって、近似度が大きく同定される確率が高い被比較文字を優先的に表示できると共に、目視による文字同定を支援できるようにした文字同定支援システム、文字同定支援装置及び情報処理方法を提供することを目的とする。
【００１２】
【課題を解決するための手段】
上記課題を解決するために、本発明に係る第１の文字同定支援システムは、任意の文字を生成するための文字情報に基づいて文字同定を支援するシステムであって、複数の文字情報を取得して文字同定を支援する文字同定支援装置と、この文字同定支援装置による支援の下で、この文字を生成して表示すると共に、この文字を同定する情報処理装置と、これら文字同定支援装置と情報処理装置とを接続する通信手段とを備え、複数の文字情報の中で、この文字を同定する際の基準となる文字情報を基準情報とし、この基準情報と比較される文字情報を被比較情報としたとき、この基準情報と複数の被比較情報とを比較してこの文字に近似する被比較文字を文字同定支援装置により夫々抽出すると共に、抽出された被比較文字をこの文字に近似する順に並べてこの文字と共に情報処理装置により同一画面上に表示することを特徴とするものである。
【００１３】
本発明に係る第１の文字同定支援システムによれば、任意の文字を生成するための文字情報に基づいて文字同定を支援する場合に、文字同定支援装置と情報処理装置とが通信手段により接続され、複数の文字情報が文字同定支援装置により取得される。この文字同定支援装置によって、基準情報と複数の被比較情報とが比較され、この文字に近似する被比較文字が抽出されると共に、抽出された被比較文字がこの文字に近似する順に並べられて、この文字と共に情報処理装置により同一画面上に表示される。
【００１４】
従って、この文字との近似度が大きく同定される確率が高い被比較文字を優先的に表示できるため、目視による文字同定を支援できる。このため、迅速かつ容易に文字を同定できるようになるので、多数の被比較文字が存在する場合であっても、文字同定を短時間で完了できるため、同一文字に対して重複する文字情報を効率的に削除できる。よって、１つの文字に１つの文字情報を対応させて１つの文字コードによって管理できるようになるので、この１つの文字コードにより管理された文字情報を複数の情報処理装置でシステム構成に依存することなく共通使用できると共に、これらの文字情報及び文字コードを記憶するための記憶容量も節減できる。
【００１５】
本発明に係る第２の文字同定支援システムは、任意の文字を生成するための文字情報に基づいて文字同定を支援するシステムであって、複数の文字情報を取得して文字同定を支援する文字同定支援装置と、この文字同定支援装置による支援の下で、この文字を生成して表示すると共に、この文字を同定する情報処理装置と、これら文字同定支援装置と情報処理装置とを接続する通信手段とを備え、複数の文字情報の中で、この文字を同定する際の基準となる文字情報を基準情報とし、この基準情報と比較される文字情報を被比較情報としたとき、この基準情報と複数の被比較情報とを比較してこの文字に類似する被比較文字を夫々抽出すると共に、この被比較文字及びこの文字の特徴を強調する処理を文字同定支援装置により実行し、特徴強調処理された被比較文字及びこの文字を情報処理装置により同一画面上に表示することを特徴とするものである。
【００１６】
本発明に係る第２の文字同定支援システムによれば、任意の文字を生成するための文字情報に基づいて文字同定を支援する場合に、文字同定支援装置と情報処理装置とが通信手段により接続され、複数の文字情報が文字同定支援装置により取得される。この文字同定支援装置によって、基準情報と複数の被比較情報とが比較され、この文字に類似する被比較文字が抽出されると共に、抽出された被比較文字及びこの文字の特徴を強調する処理が実行される。この特徴強調処理された被比較文字及びこの文字が情報処理装置により同一画面上に表示される。このとき、例えば、被比較文字及びこの文字の特徴を強調する処理が複数回実行され、被比較文字及びこの文字の特徴が分類されると共に、分類された被比較文字及びこの文字の特徴に関して、上位階層の被比較文字及びこの文字と下位階層の被比較文字及びこの文字との間が結線されてツリー構造状に特徴強調処理された被比較文字及びこの文字が情報処理装置により表示される。
【００１７】
従って、この文字と複数の被比較文字における類似点を明瞭に視認し得るように、これらの文字及び被比較文字を系統的に表示できるので、目視による文字同定を支援できる。このため、迅速かつ容易に文字を同定できるようになるので、多数の被比較文字が存在するような場合であっても、文字同定を短時間で完了できるため、同一文字に対して重複する文字情報を効率的に削除できる。よって、１つの文字に１つの文字情報を対応させて１つの文字コードによって管理できるようになるので、この１つの文字コードにより管理された文字情報を複数の情報処理装置でシステム構成に依存することなく共通使用できると共に、これらの文字情報及び文字コードを記憶するための記憶容量も節減できる。
【００１８】
本発明に係る第１の文字同定支援装置は、任意の文字を生成するための文字情報に基づいてネットワーク上で文字同定を支援する装置であって、この文字を同定する際の基準となる基準情報を記憶する記憶手段と、この記憶手段の入出力を制御する制御手段とを備え、この基準情報と比較される文字情報を被比較情報としたとき、制御手段は、複数の被比較情報を取得し、この被比較情報と基準情報とを比較してこの文字に近似する被比較文字を夫々抽出すると共に、抽出された被比較文字をこの文字に近似する順に並べてこの文字と共に同一画面上に表示するためのデータを前記ネットワーク上で提供することを特徴とするものである。
【００１９】
本発明に係る第１の文字同定支援装置によれば、任意の文字を生成するための文字情報に基づいてネットワーク上で文字同定を支援する場合に、この文字を同定する際の基準となる基準情報が記憶手段により記憶される。この基準情報と比較される複数の被比較情報が制御手段により取得されると共に、この被比較情報が基準情報と比較され、この文字に近似する被比較文字が抽出される。ここで抽出された被比較文字をこの文字に近似する順に並べて、この文字と共に同一画面上に表示するためのデータが制御手段によりネットワーク上で提供される。
【００２０】
従って、この文字との近似度が大きく同定される確率が高い被比較文字を優先的に表示できるため、目視による文字同定を支援できる。このため、迅速かつ容易に文字を同定できるようになるので、多数の被比較文字が存在する場合であっても、文字同定を短時間で完了できるため、同一文字に対して重複する文字情報を効率的に削除できる。よって、１つの文字に１つの文字情報を対応させて１つの文字コードによって管理できるようになるので、この１つの文字コードにより管理された文字情報を複数の情報処理装置でシステム構成に依存することなく共通使用できると共に、これらの文字情報及び文字コードを記憶するための記憶容量も節減できる。
【００２１】
本発明に係る第２の文字同定支援装置は、任意の文字を生成するための文字情報に基づいてネットワーク上で文字同定を支援する装置であって、この文字を同定する際の基準となる基準情報を記憶する記憶手段と、この記憶手段の入出力を制御する制御手段とを備え、この基準情報と比較される文字情報を被比較情報としたとき、制御手段は、複数の被比較情報を取得し、この被比較情報と基準情報とを比較してこの文字に類似する被比較文字を夫々抽出すると共に、被比較文字及びこの文字の特徴を強調する処理を実行し、この特徴強調処理された被比較文字及びこの文字を同一画面上に表示するためのデータをネットワーク上で提供することを特徴とするものである。
【００２２】
本発明に係る第２の文字同定支援装置によれば、任意の文字を生成するための文字情報に基づいてネットワーク上で文字同定を支援する場合に、この文字を同定する際の基準となる基準情報が記憶手段により記憶される。この基準情報と比較される複数の被比較情報が制御手段により取得されると共に、この被比較情報が基準情報と比較され、この文字に類似する被比較文字が抽出される。ここで抽出された被比較文字及びこの文字の特徴を強調する処理が実行される。このとき、例えば、被比較文字及びこの文字の特徴を強調する処理が、制御手段により複数回実行され、被比較文字及びこの文字の特徴が分類されると共に、分類された被比較文字及びこの文字の特徴に関して、上位階層の被比較文字及びこの文字と下位階層の被比較文字及びこの文字との間が結線されてツリー構造状に特徴強調処理された被比較文字及びこの文字を表示するためのデータが制御手段によりネットワーク上で提供される。
【００２３】
従って、この文字と複数の被比較文字における類似点を明瞭に視認し得るように、これらの文字及び被比較文字を系統的に表示できるので、目視による文字同定を支援できる。このため、迅速かつ容易に文字を同定できるようになるので、多数の被比較文字が存在するような場合であっても、文字同定を短時間で完了できるため、同一文字に対して重複する文字情報を効率的に削除できる。よって、１つの文字に１つの文字情報を対応させて１つの文字コードによって管理できるようになるので、この１つの文字コードにより管理された文字情報を複数の情報処理装置でシステム構成に依存することなく共通使用できると共に、これらの文字情報及び文字コードを記憶するための記憶容量も節減できる。
【００２４】
本発明に係る第１の情報処理方法は、任意の文字を情報処理する方法であって、この文字を生成するための文字情報を複数取得し、ここに取得された複数の文字情報の中でこの文字を同定する際の基準となる文字情報を基準情報とし、この基準情報と比較される文字情報を被比較情報としたとき、この基準情報と複数の被比較情報とを比較してこの文字に近似する被比較文字を夫々抽出し、この文字を同一画面上に表示すると共に、抽出された被比較文字をこの文字に近似する順に並べて表示することを特徴とするものである。
【００２５】
本発明に係る第１の情報処理方法によれば、任意の文字を情報処理する場合に、この文字との近似度が大きく同定される確率が高い被比較文字を優先的に表示できるため、目視による文字同定を支援できる。従って、迅速かつ容易に文字を同定できるようになるので、多数の被比較文字が存在する場合であっても、文字同定を短時間で完了できるため、同一文字に対して重複する文字情報を効率的に削除できる。よって、１つの文字に１つの文字情報を対応させて１つの文字コードによって管理できるようになるので、この１つの文字コードにより管理された文字情報を複数の情報処理装置でシステム構成に依存することなく共通使用できると共に、これらの文字情報及び文字コードを記憶するための記憶容量も節減できる。
【００２６】
本発明に係る第２の情報処理方法は、任意の文字を情報処理する方法であって、この文字を生成するための文字情報を複数取得し、ここに取得された複数の文字情報の中でこの文字を同定する際の基準となる文字情報を基準情報とし、この基準情報と比較される文字情報を被比較情報としたとき、この基準情報と複数の被比較情報とを比較してこの文字に類似する被比較文字を夫々抽出し、ここに抽出された被比較文字の特徴を強調する処理と共に、この文字の特徴を強調する処理をし、ここに特徴強調処理された被比較文字及びこの文字を同一画面上に表示することを特徴とするものである。例えば、この被比較文字の特徴を強調する処理と共に、この文字の特徴を強調する処理を複数回実行し、複数回特徴強調処理される被比較文字及びこの文字を階層表示すると共に、ここで階層表示される被比較文字及びこの文字の特徴を分類し、分類された被比較文字及びこの文字の特徴に関して、上位階層の被比較文字及びこの文字と下位階層の被比較文字及びこの文字との間を結線するツリー構造状に特徴強調処理された被比較文字及びこの文字が表示されるようになされる。
【００２７】
従って、この文字と複数の被比較文字における類似点を明瞭に視認し得るように、これらの文字及び被比較文字を系統的に表示できるので、目視による文字同定を支援できる。このため、迅速かつ容易に文字を同定できるようになるので、多数の被比較文字が存在するような場合であっても、文字同定を短時間で完了できるため、同一文字に対して重複する文字情報を効率的に削除できる。よって、１つの文字に１つの文字情報を対応させて１つの文字コードによって管理できるようになるので、この１つの文字コードにより管理された文字情報を複数の情報処理装置でシステム構成に依存することなく共通使用できると共に、これらの文字情報及び文字コードを記憶するための記憶容量も節減できる。
【００２８】
【発明の実施の形態】
以下、添付の図面を参照しながら、本発明に係る文字同定支援システム、文字同定支援装置及び情報処理方法の実施形態について説明する。
【００２９】
［第１の実施形態：第１の文字同定支援システム］
図１は、本発明の実施形態としての文字同定支援システム１００の構成例を示す概念図であり、図２は、文字同定支援装置１０の構成例を示すブロック図である。
【００３０】
この第１の実施形態では、任意の文字を生成するための文字情報に基づいて文字同定を支援する場合に、複数の文字情報を取得して文字同定を支援する第１の文字同定支援装置を備え、基準情報と複数の被比較情報とを比較してこの文字に近似する被比較文字を夫々抽出すると共に、抽出された被比較文字を、この文字に近似する順に並べて、この文字と共に情報処理装置により同一画面上に表示する。これによって、この文字との近似度が大きく同定される確率が高い被比較文字を優先的に表示できると共に、目視による文字同定を支援できるようにしたものである。
【００３１】
図１の文字同定支援システム１００は、複数の被比較情報と基準情報との比較により文字同定を迅速かつ容易に完了できるようにネットワーク上で支援できるシステムである。この文字同定支援システム１００は、住基ネットのように、ネットワークに接続された複数の情報処理装置によって、１つの文字に対して複数の文字情報が交換されたために、これら複数の情報処理装置を含めたシステム全体において、複数の類似文字が存在するようなシステムでの目視による文字同定及び重複文字情報の削除等に適用して好適である。
【００３２】
文字同定支援システム１００は、図１に示すように、文字同定支援装置１０、複数の情報処理装置２０及びこれら複数の情報処理装置２０と文字同定支援装置１０とを夫々接続する通信手段３０で構成される。
【００３３】
文字同定支援装置１０は、図２に示すように、少なくとも、記憶手段１１、制御手段１２及び接続手段１３を備え、これらがバス１４により相互に接続されたコンピュータシステムである。この文字同定支援装置１０は、任意の文字を生成するための文字情報を複数取得すると共に、この文字を生成するための文字情報に基づいて、情報処理装置２０による文字同定を通信手段３０上で支援する。
【００３４】
記憶手段１１は、不揮発性メモリ等の電子記録媒体及び／又はＨＤＤ（Ｈａｒｄ  Ｄｉｓｋ  Ｄｒｉｖｅ）等の大容量磁気記録媒体からなる記憶装置であって、任意の文字を同定する際の基準となる基準情報１１１と、この基準情報１１１に文字同定支援装置１０の内部コードを対応させた基準文字コード１１２とを記憶する。
【００３５】
制御手段１２は、ＣＰＵ（Ｃｅｎｔｒａｌ  Ｐｒｏｃｅｓｓｉｎｇ  Ｕｎｉｔ）１２１、ＲＡＭ（Ｒａｎｄｏｍ  Ａｃｃｅｓｓ  Ｍｅｍｏｒｙ）１２２及びＲＯＭ（Ｒｅａｄ  Ｏｎｌｙ  Ｍｅｍｏｒｙ）１２３を有し、ＣＰＵ１２１が、ＲＡＭ１２２をワークエリアとして使用しながらＲＯＭ１２３に格納された制御プログラムを実行することによって、記憶手段１１の入出力を制御する。この制御手段１２は、複数の情報処理装置２０から被比較情報となる文字情報を複数取得し、取得した被比較情報と基準情報１１１とを比較して、基準情報に基づく文字（基準文字）に近似する被比較文字を夫々抽出すると共に、抽出された被比較文字を、基準文字に近似する順に並べて、基準文字と共に同一画面上に表示するためのデータを通信手段３０上で提供する。
【００３６】
接続手段１３は、ＩＥＥＥ８０２．３規格準拠のイーサネット（Ｒ）ポート（Ｅｔｈｅｒｎｅｔ（Ｒ）  Ｐｏｒｔ）のようなネットワークインターフェイス（ＮＩ／Ｆ：Ｎｅｔｗｏｒｋ  Ｉｎｔｅｒｆａｃｅ）であって、文字同定支援装置１０を通信手段３０に接続する。
【００３７】
情報処理装置２０は、図１に示すように、少なくとも、表示手段２１、同定手段２２及び制御手段２３を備えたパーソナルコンピュータ（ＰＣ：Ｐｅｒｓｏｎａｌ  Ｃｏｍｐｕｔｅｒ）のような情報機器類であって、ＩＴＵ−Ｔ勧告に基づく通信規格をサポートする通信モデム又はＩＥＥＥ８０２．３規格準拠のＮＩＣ（Ｎｅｔｗｏｒｋ  Ｉｎｔｅｒｆａｃｅ  Ｃａｒｄ）のようなネットワークインターフェイス（ＮＩ／Ｆ：Ｎｅｔｗｏｒｋ  Ｉｎｔｅｒｆａｃｅ）によって、通信手段３０に接続できる。
【００３８】
この情報処理装置２０の表示手段２１は、ＬＣＤ（Ｌｉｑｕｉｄ  Ｃｒｙｓｔａｌ  Ｄｉｓｐｌａｙ）のような画像表示機能を有する表示装置であって、文字同定支援装置１０による支援の下で、文字を生成して表示する。同定手段２２は、キーボード及びマウス等の入力装置であって、オペレータ等に操作されて文字を同定する。また、この情報処理装置２０の制御手段２３は、ＣＰＵ、ＲＡＭ及びＲＯＭ（図示せず）を備え、このＣＰＵが、ＲＡＭをワークエリアとして使用しながらＲＯＭに格納された制御プログラムを実行することによって、文字同定支援装置１０と双方向通信を行うと共に、表示手段２１及び同定手段２２を制御する。
【００３９】
通信手段３０は、ＩＥＥＥ８０２．３規格準拠の１０ＢＡＳＥ−Ｔのようなイーサケーブル（Ｅｔｈｅｒ  Ｃａｂｌｅ）で構築されるＬＡＮ（Ｌｏｃａｌ  Ａｒｅａ  Ｎｅｔｗｏｒｋ）、光ケーブル等から構築されるＩＰ（Ｉｎｔｅｒｎｅｔ  Ｐｒｏｔｏｃｏｌ）網、及びＩＴＵ−Ｔ勧告による通信規格をサポートする通信モデム等を介して接続される一般公衆電話網等からなる双方向通信可能なネットワークである。この通信手段（以下、ネットワークと記載）３０は、文字同定支援装置１０の接続手段１３及び情報処理装置２０のＮＩ／Ｆにイーサケーブル等により接続されることによって、文字同定支援装置１０と情報処理装置２０とを双方向通信可能に接続する。
【００４０】
このように構成された文字同定支援システム１００において、この第１の実施形態では、文字同定支援装置１０を基準システムとし、情報処理装置２０ａを比較対象となるシステムとしたとき、文字同定支援装置１０の記憶手段１１に記憶された基準情報１１１に基づく文字（基準文字）に対する同一文字候補を情報処理装置２０ａから抽出して文字同定を支援する場合を想定する。
【００４１】
文字同定支援装置１０の制御手段１２は、情報処理装置２０ａから複数の文字情報を、ネットワーク３０を介したオンライン（Ｏｎ  Ｌｉｎｅ）又は磁気記録媒体等を介したオフライン（Ｏｆｆ  Ｌｉｎｅ）のいずれかにより取得し、これら複数の文字情報を被比較情報として基準情報１１１と夫々比較し、基準文字に近似する被比較文字を抽出する。
【００４２】
これら複数の被比較情報と基準情報１１１とを夫々比較する際に、制御手段１２は、基準情報１１１及び被比較情報を夫々ビットマップに転写してビットマップフォント（Ｂｉｔ−ｍａｐ  Ｆｏｎｔ）を生成する。基準情報１１１又は被比較情報のような文字情報が転写された点はオンビット（Ｏｎ  Ｂｉｔ）であるから、例えば、この転写された点に数値「１」を与え、この転写がなかった点にオフビット（Ｏｆｆ  Ｂｉｔ）として数値「０」を与えると、図３に示すようなビットマップフォントＢＦ１が生成される。このビットマップフォントＢＦ１は、縦方向５０ドット（Ｄｏｔ：点）及び横方向５０ドットの総計２５００ドットで任意の文字を生成できるように、文字情報が転写されたビットマップの２次元直交平面を縦方向に５０行、横方向に５０列で構成される２５００の格子状領域に分割したものである。
【００４３】
このように格子状に分割されたビットマップフォントＢＦ１において、各行及び各列でのオンビットを加算することによって、これら各行及び各列でのオンビットの量、即ち、オンビットボリューム（Ｖｏｌｕｍｅ）を数値化できる。例えば、第３行Ｌ３のオンビットを行方向に加算した行方向加算値、即ち、この第３行Ｌ３の行方向ボリューム値は３４になる。同様に、第５行Ｌ５の行方向ボリューム値は８と算出できる。また、第３列Ｃ３のオンビットを列方向に加算した列方向加算値、即ち、この第３列Ｃ３の列方向ボリューム値は４６であり、第５列Ｃ５の列方向ボリューム値は６であることを容易に算出できる。
【００４４】
このようなビットマップフォントＢＦ１におけるオンビットボリュームの数値化例を図４に表として示す。図４（ａ）は行数と各行での行方向ボリューム値との対応表であり、（ｂ）は列数と各列での列方向ボリューム値との対応表である。これらの表に基づいて、各行での行方向ボリューム値と行数との関数曲線をグラフ化することによって、図５（ａ）に示すように、ビットマップフォントＢＦ１の行方向（横方向）におけるオンビットボリューム曲線Ｃ１を導出できる。同様に、各列での列方向ボリューム値と列数との関数曲線をグラフ化することによって、図５（ｂ）に示すように、ビットマップフォントＢＦ１の列方向（縦方向）におけるオンビットボリューム曲線Ｃ２を導出できる。
【００４５】
このようなオンビットボリューム曲線Ｃ１，Ｃ２を、基準情報１１１と複数の被比較情報とに関して、制御手段１２により夫々導出し、基準情報１１１から生成されたビットマップフォントでの横方向におけるオンビットボリューム曲線と、被比較情報から生成されたビットマップフォントでの横方向におけるオンビットボリューム曲線との間で近似解析を行う。同様に、基準情報１１１から生成されたビットマップフォントでの縦方向におけるオンビットボリューム曲線と、被比較情報から生成されたビットマップフォントでの縦方向におけるオンビットボリューム曲線との間で近似解析を行う。このような複数曲線間での近似解析には、一般的な表計算用又はグラフ描画用のソフトウエアに採用されるような統計解析プログラムを応用することができる。
【００４６】
文字同定支援装置１０の制御手段１２は、基準情報１１１と複数の被比較情報とを、上述のようなオンビットボリューム曲線に対する近似解析によって比較し、この基準情報１１１のオンビットボリューム曲線との間に一定の曲線近似が認められたオンビットボリューム曲線を有するビットマップフォントに基づいて被比較文字を抽出する。例えば、統計解析プログラムによる近似解析において、近似関係が５０％以上と判定されたオンビットボリューム曲線を有するビットマップフォントに基づく被比較文字を、基準文字に近似する同一文字候補として抽出する。そして、複数の同一文字候補が５０％以上の近似関係を有して抽出された場合、制御手段１２は、これら複数の同一文字候補を近似度が高い順、即ち、基準文字に近似する順に並べて基準文字と共に同一画面上に表示するためのデータを、ネットワーク３０上で情報処理装置２０ａに提供する。
【００４７】
このとき制御手段１２は、ビットマップに転写された基準情報１１１と、ビットマップに転写された被比較情報との減算値が「１」又は「−１」となる点に対応する部分を被比較文字において変色表示するためのデータも情報処理装置２０ａに提供する。
【００４８】
基準情報から生成されたビットマップフォントと被比較情報から生成されたビットマップフォントにおいて、文字情報の転写があった部分はオンビットとして１が与えられるため、例えば、基準文字のビットマップフォントから被比較文字のビットマップフォントを減算した場合、この減算値が０となる点は、基準文字と被比較文字とが一致する部分である。一方、この減算値が「１」又は「−１」となる点は、基準文字と被比較文字とが相違する部分である。
【００４９】
従って、この減算値が「１」又は「−１」となる点に対応する部分を被比較文字で変色表示することによって、この被比較文字における基準文字との相違部分を即座に視認し得るように表示できる。このため、目視による文字同定を支援できるので、文字同定をより迅速に完了できる。
【００５０】
このように情報処理装置２０ａは、文字同定支援装置１０の制御手段１２により抽出された被比較文字を基準文字に近似する順に並べて基準文字と共に同一画面上に表示手段２１ａにより表示する。このとき被比較文字において基準文字との相違部分が、例えば、黒色文字に赤色の相違部分のように、変色表示される。
【００５１】
このため情報処理装置２０ａのオペレータは、基準文字との近似度が大きく同定される確率が高い被比較文字、即ち、同一文字候補を優先的に表示する判定者用画面において、基準文字と同一文字候補とを比較できるので、目視による文字同定を迅速かつ容易に完了できる。
【００５２】
この情報処理装置２０ａによる第１の判定者用画面Ｄ１の表示例を図６に示す。この判定者用画面Ｄ１は、基準システム、即ち、文字同定支援装置１０の基準文字に関する情報の表示領域を示すための表題「基準システムの文字」ＴＳと、対象となるシステム、即ち、情報処理装置２０ａにおける被比較文字に関する情報の表示領域を示すための表題「対象となるシステムの同一文字候補」ＴＣとを、表示領域の端部に容易に視認できるように表示する。また、この判定者用画面Ｄ１は、「同定済文字の表示」釦Ｂ１と「全ての候補表示」釦Ｂ２とを、表題ＴＳ，ＴＣとが配置されていない他の端部に表示する。
【００５３】
表題ＴＳに属する表示領域には、基準文字コード１１２により基準文字に対応された文字コード番号ＣＳと、基準文字の画像ＩＳ１と、他の基準文字を表示するための「前」釦Ｂ３及び「次」釦Ｂ４と、同一文字候補を同定するための「同定チェック」釦Ｂ５とが表示される。
【００５４】
一方、表題ＴＣに属する表示領域には、複数の被比較文字（同一文字候補）に情報処理装置２０ａの内部コードとして付番された文字コード番号ＣＣと、これら複数の同一文字候補の画像ＩＣ１，ＩＣ２，ＩＣ３，ＩＣ４と、これら複数の同一文字候補ＩＣ１，ＩＣ２，ＩＣ３，ＩＣ４と基準文字ＩＳ１との近似度を百分率で示した適合率Ｐと、これら複数の同一文字候補ＩＣ１，ＩＣ２，ＩＣ３，ＩＣ４の中から同定する文字を選択するためのチェックボックスＣＨとが表示される。
【００５５】
この判定者用画面Ｄ１では、最大適合率を有する同一文字候補ＩＣ１が基準文字ＩＳ１の隣に表示されるように、適合率８５％の同一文字候補ＩＣ１、適合率７０％の同一文字候補ＩＣ２、適合率６０％の同一文字候補ＩＣ３、適合率５５％の同一文字候補ＩＣ４の順に並べて基準文字ＩＳ１の隣に表示される。
【００５６】
ここで情報処理装置２０ａのオペレータが、同一文字候補ＩＣ１を基準文字ＩＳ１と同一文字であると判断した場合、この同一文字候補ＩＣ１のチェックボックスＣＨ１に同定手段２２ａによりチェックをする。同様に、このオペレータが他の適合率の低い同一文字候補ＩＣ２，ＩＣ３，ＩＣ４と基準文字ＩＳ１との相違を軽微で容認可能と判断した場合、これら複数の同一文字候補ＩＣ２，ＩＣ３，ＩＣ４に対応するチェックボックスＣＨにチェックをする。
【００５７】
このオペレータが、最大適合率の同一文字候補ＩＣ１のみを基準文字ＩＳ１との同一文字であると判断した場合、図６に示したように、この同一文字候補ＩＣ１のチェックボックスＣＨ１をチェックすることによって、このチェックボックスＣＨ１にチェックマークを記載し、「同定チェック」釦Ｂ５を選択するようにクリックする。これによって、情報処理装置２０ａによる文字同定があったことが、この情報処理装置２０ａから文字同定支援装置１０に送信され、同定された文字ＩＣ１の文字コード番号ＣＣ１として「０５２３」が、基準文字の基準システムにおける文字コード番号ＣＳである「０００１」と関連付けて記憶手段１１により記憶される。
【００５８】
これにより文字同定支援装置１０の制御手段１２は、ここで文字同定された同一文字候補ＩＣ１を、他の基準文字、即ち、「０００１」以外の文字コード番号に対応させた基準文字に関する文字同定の際には、被比較文字としないように制御する。
【００５９】
判定者用画面Ｄ１に表示された同一文字候補の中に同一文字がない場合、オペレータは「同定済文字の表示」釦Ｂ１を選択し、制御手段１２により同一文字候補から除外された同定済文字の中での同一文字の有無を確認したり、「全ての候補表示」釦Ｂ２を選択し、適合率が５０％未満と算出されたために表示されなかった候補の中での同一文字の有無を確認したりできる。
【００６０】
基準文字ＩＳ１と同一の文字を情報処理装置２０ａ内の文字情報の中で検索して文字同定を完了した後、「前」釦Ｂ３又は「次」釦Ｂ４をクリックすることによって、他の文字コード番号に対応させた基準文字に関する文字同定を実行する。これによって、基準文字コード１１２に対応させた複数の基準文字に基づいて、文字同定を連続して実行できるので、情報処理装置２０ａに多数の被比較文字が存在する場合であっても、文字同定を短時間で完了できる。
【００６１】
上述した文字同定を複数の情報処理装置２０に対して実行することによって、文字同定支援装置１０の制御手段１２は、図７に示すように、これら複数の情報処理装置２０が個別に有する独自の文字コードと基準文字コード１１２との文字コード変換表Ｔを作成できると共に、この文字コード変換表Ｔを記憶手段１１に保存できる。この文字コード変換表Ｔにおいて、文字コードＡは情報処理装置２０ａで採用された文字コードであり、文字コードＢは情報処理装置２０ｂで採用された文字コードであり、文字コードＣは図示しない情報処理装置２０で採用された文字コードである。
【００６２】
この文字コード変換表Ｔによって、基準文字コード１１２によりコード番号「０００１」Ｔ１１に対応させた文字が、情報処理装置２０ａでは文字コードＡによりコード番号「０５２３」Ｔ１２を付番され、情報処理装置２０ｂでは文字コードＢによりコード番号「３８２９」Ｔ１３を付番され、他の情報処理装置２０では文字コードＣによりコード番号「１５４６」Ｔ１４を付番されていることを把握できる。
【００６３】
従って、これら複数の情報処理装置２０において、同一文字に対して異なるコード番号を付番されて重複した文字情報を基準情報１１１で置換することにより削除できるので、１つの文字に１つの文字情報（基準情報）１１１を対応させて基準文字コード１１２によって管理できるようになる。
【００６４】
上述した情報処理装置２０ａでの文字同定において、例えば、基準文字コード番号「０００２」Ｔ２１に対応する文字が同定されなかった場合、この文字は情報処理装置２０ａでは欠けた文字、即ち、欠字となるので、図７（ａ）に示すように、文字コード変換表Ｔで対応する欄Ｔ２２には文字コード番号が存在しない。
【００６５】
このように情報処理装置２０ａによる文字同定がなかったために欠字となった場合、文字同定支援装置１０の制御手段１２は、情報処理装置２０ａの文字コードＡで未使用のコード番号を検索し、例えば、文字コードＡで５５５５番が未使用であった場合、この未使用番号「５５５５」を欠字に対応させる。
【００６６】
同様に、情報処理装置２０ｂでの文字同定において、基準文字コード「０００３」Ｔ３１に対応する文字が同定されなかった場合、この文字は情報処理装置２０ｂでの欠字となるので、文字コード変換表Ｔの対応する欄Ｔ３３には文字コードが存在しない。よって、制御手段１２は、情報処理装置２０ｂの文字コードＢで未使用のコード番号を検索し、例えば、文字コードＢで４９４８番が未使用であった場合、この未使用番号「４９４８」を欠字に対応させる。
【００６７】
これにより文字同定支援装置１０の制御手段１２は、基準文字コード１１２と関連付けたコード番号を生成すると共に、このコード番号及び基準情報１１１を情報処理装置２０に提供する。また、制御手段１２は、新たに生成されたコード番号によって、図７（ｂ）に示すように、文字コード変換表Ｔを更新する。
【００６８】
この更新された文字コード変換表Ｔでは、文字コードＡでの欠字にコード番号「５５５５」Ｔ２２ｂが付番されると共に、このコード番号Ｔ２２ｂが基準文字コード１１２によるコード番号「０００２」Ｔ２１ｂと関連付けて保存される。同様に、文字コードＢでの欠字にコード番号「４９４８」Ｔ３３ｂが付番されると共に、このコード番号Ｔ３３ｂが基準文字コード１１２によるコード番号「０００３」Ｔ３１ｂと関連付けて保存される。
【００６９】
従って、複数の情報処理装置２０で欠字が発生した場合であっても、この文字同定支援システム１００内で同一文字を見出すことができるので、情報処理装置２０は個別に文字情報を生成して欠字を補う必要がなくなる。このため、基準文字コード１１２により管理された基準情報１１１を、複数の情報処理装置２０でシステム構成に依存することなく共通使用（利用）できる。よって、この文字同定支援システム１００において、文字情報及び文字コードを記憶するための記憶容量を節減できる。
【００７０】
なお、上述した文字コード変換表Ｔは、文字同定支援装置１０の記憶手段１１に保存されるだけではなく、文字同定支援システム１００に含まれる任意の情報処理装置２０に保存されても良い。また、この文字コード変換表Ｔを磁気記録媒体等に書き込むことによって、この文字コード変換表Ｔを文字同定支援システム１００の外部に保存することもできる。この文字コード変換表Ｔを保存する際に、この文字コード変換表Ｔへのアクセスに対して電子的認証要求及び時間制限等を設定することによって、この文字コード変換表Ｔへのアクセスを、特定の利用者、アクセスルート及び／又は時間等に制限するように運用できる。
【００７１】
次に、この第１の文字同定支援システム１００の動作例を、本発明に係る第１の情報処理方法の実施形態として、図８及び図９に示すフローチャートを参照しながら説明する。図８は、この第１の文字同定支援システム１００による第１の文字同定支援例を示すフローチャートであり、図９は、文字同定支援装置１０による被比較文字の抽出例を示すフローチャートである。
【００７２】
この第１の実施形態では、上述した文字同定支援装置１０の記憶手段１１に記憶された基準情報１１１に基づいて、図６に示したように、基準文字ＩＳ１に対する同一文字候補ＩＣ１，ＩＣ２，ＩＣ３，ＩＣ４を情報処理装置２０ａから抽出すると共に、抽出された同一文字候補ＩＣ１，ＩＣ２，ＩＣ３，ＩＣ４を基準文字ＩＳ１に近似する順に並べて基準文字ＩＳ１と共に判定者用画面Ｄ１上に表示することを前提条件とする。
【００７３】
これを前提として、先ず、図８に示すフローチャートのステップＳ１０１で、任意の文字を生成するための文字情報を複数取得する。これら複数の文字情報の中で、この文字を同定する際の基準となる文字情報は、文字同定支援装置１０の記憶手段１１に記憶された基準情報１１１であり、この基準情報１１１と比較される文字情報は、情報処理装置２０ａから取得された被比較情報である。
【００７４】
次のステップＳ１０２で、文字同定支援装置１０により被比較文字を抽出するために、図９に示すサブルーチンをコールする。この図９に示したフローチャートのステップＳ２１で、基本情報１１１及び被比較情報をビットマップに転写して基準文字ＩＳ１のビットマップフォントと被比較情報の転写により生成されたビットマップフォントとを夫々生成し、ステップＳ２２で、これらのビットマップフォントにおいて、図４に示したように、オンビットの列方向加算値及び行方向加算値を夫々算出する。
【００７５】
次に、ステップＳ２３で、列方向加算値と列数との関数曲線、即ち、列方向でのオンビットボリューム曲線と、行方向加算値と行数との関数曲線、即ち、行方向でのオンビットボリューム曲線とを導出し、ステップＳ２４で、基準文字ＩＳ１のビットマップフォントから導出されたオンビットボリューム曲線と、被比較情報が転写されたビットマップフォントから導出されたオンビットボリューム曲線との近似関係を統計解析する。
【００７６】
この統計解析の結果、ステップＳ２５で、近似関係が規定値、例えば５０％以上であった場合（Ｙｅｓ）、ステップＳ２６ａに進み、この被比較情報に基づく文字を被比較文字、即ち、同定候補として選定してステップＳ２７に進む。一方、近似関係が規定値未満、即ち、５０％未満であった場合（Ｎｏ）、ステップＳ２６ｂに進み、この被比較情報に基づく文字を同定候補外として除外してステップＳ２７に進む。
【００７７】
ステップＳ２７で、他の被比較情報がある場合（Ｙｅｓ）、ステップＳ２８に進み、次の被比較情報をビットマップに転写してビットマップフォントを生成してからステップＳ２２に戻る。このようにして、複数の被比較情報の全てが、同定候補として選定されるか、又は、同定候補外として除外されるまで、ステップＳ２２乃至ステップＳ２８のループを繰り返す。そして、ステップＳ２７で、他の被比較情報がなくなった場合（Ｎｏ）、メインルーチンのステップＳ１０２に戻る。
【００７８】
このメインルーチンのステップＳ１０２で、上述したサブルーチンで選定された同定候補を被比較文字として抽出し、次のステップＳ１０３で、抽出された被比較文字を同一文字候補ＩＣ１，ＩＣ２，ＩＣ３，ＩＣ４として、基準文字ＩＳ１に近似する順に並べて、図６に示したように、判定者用画面Ｄ１に表示する。
【００７９】
このように、この第１の実施形態としての文字同定支援システムによる情報処理例によれば、基準文字ＩＳ１に近似する順に同一文字候補ＩＣ１、ＩＣ２，ＩＣ３，ＩＣ４を並べて表示できるので、情報処理装置２０ａでの目視による文字同定を支援できる。また、同一文字候補の抽出は、文字情報をビットマップに転写したビットマップフォントの行及び列上におけるオンビット／オフビットのボリューム分布に基づいているので、フォントが相違するためにオンビットの配置が相違する場合であっても、オンビットが完全一致する同一フォントでの同一文字と同様に、相違するフォントでの同一文字候補を抽出できる。従って、システム的（機械的及び物理的）には類似文字となってしまうものの、人間の視覚的には同一文字である同一文字候補を効率的に抽出できるため、類似文字を生成するための文字情報の削除による類似文字の整理を支援できる。
【００８０】
よって、住基ネットのように、類似文字を整理できないために外字をコード化された電子データとして処理できないようなシステムにおいて、複数の自治体で個別に作成された外字を生成するための外字情報と基準情報とを比較して類似外字を整理できる。このため、外字情報を含む文字情報及び文字コードを記憶するための記憶容量も節減できる。
【００８１】
なお、本実施形態において、文字情報のビットマップへの転写に際して、この転写後のドット数、即ち、ビットマップフォントＢＦ１の分割領域は２５００としたが、このドット数は、特に制限されるものではなく、任意の規定値を予め設定することによって、本実施形態と同じ作用効果が得られる。
【００８２】
また、本実施形態では、文字同定支援装置１０の記憶手段１１に記憶された基準情報１１１に基づいて基準文字ＩＳ１を設定したが、例えば、情報処理装置２０ｂが有する文字情報を基準情報として取得することによって、情報処理装置２０ａが有する文字情報と文字同定支援装置１０により相互比較することもできる。このとき，比較対象となる情報処理装置（システム）の数にも、特に制限はなく、情報処理装置２０ａ以外の複数の情報処理装置２０から文字情報を取得して被比較情報としても良い。
【００８３】
更にまた、本実施形態では、複数のオンビットボリューム曲線の間における近似関係の有無を判断するための閾値を５０％として説明したが、この閾値は、同一文字候補を抽出する際の精度を鑑みて決定される。よって、より高精度で近似関係を有する同一文字候補を所望する場合には、閾値を８０％等のように変更できる。
【００８４】
［第２の実施形態：第２の文字同定支援システム］
この第２の実施形態では、任意の文字を生成するための文字情報に基づいて文字同定を支援する場合に、複数の文字情報を取得して文字同定を支援する第２の文字同定支援装置を備え、基準情報と複数の被比較情報とを比較して基準文字に類似する被比較文字を夫々抽出すると共に、この被比較文字及び基準文字の特徴を強調する処理を実行し、特徴強調処理された被比較文字及び基準文字を同一画面上に表示する。これによって、この基準文字と複数の被比較文字における類似点を明瞭に視認し得るように表示できると共に、目視による文字同定を支援できるようにしたものである。
【００８５】
この第２の実施形態では、上述した第１の実施形態と同様に構成された文字同定支援システム１００において、複数の情報処理装置２０による複数のシステムから文字情報を取得すると共に、これら複数の情報処理装置２０の中の情報処理装置２０ａ（Ａシステム）から取得された文字情報を基準情報１１１として文字同定支援装置１０の記憶手段１１に記憶し、この基準情報１１１と他のＢ乃至Ｈシステムから取得した文字情報とを上述した第１の文字同定支援例と同様の方法により比較して、この基準情報１１１に基づく文字（基準文字）に類似する文字を被比較文字として抽出した後、これらの基準文字及び被比較文字の特徴を強調するために、これらの文字のハネ及びウロコを除去できる画像処理フィルタを使用する場合を想定する。ここで文字のウロコとは、文字画像の周縁部及び表面に認められる鱗状の凹凸を意味する。
【００８６】
文字同定支援装置１０の制御手段１２は、基本情報１１１と複数の被比較情報とを、上述した第１の文字同定支援例と同様の方法を用いて比較することによって、図１０（ａ）に示すように、基準文字ＩＳ１１に類似する複数の被比較文字ＩＣ１１，ＩＣ１２，ＩＣ１３，ＩＣ１４，ＩＣ１５，ＩＣ１６，ＩＣ１７を抽出する。そして、これらの文字画像にフィルタをかけることによって、特徴強調処理の前半工程としてボカシ（輪郭不鮮明化）加工を施す。
【００８７】
これらのボカシ加工を施された文字画像（図形画像）では、図１０（ｂ）に示すように、ボカシ加工を施す前の文字画像ＩＳ１１，ＩＣ１１，ＩＣ１２，ＩＣ１３，ＩＣ１４，ＩＣ１５，ＩＣ１６，ＩＣ１７にあったハネ及びウロコ等の微細な特徴が除去されるので、これらの文字画像に共通する特徴を強調できる。
【００８８】
次に、これらのボカシ加工を施された文字画像に、特徴強調処理の後半工程としてシャープネス（輪郭鮮明化）加工を施す。これによって、図１０（ｃ）に示すように、文字画像の微細な特徴がボカシ加工により除去された図形画像のパターンを容易に認識できるように画像処理できるので、画像処理後の基準文字ＩＳ１１ａと被比較文字ＩＣ１１ａ，ＩＣ１２ａ，ＩＣ１３ａ，ＩＣ１４ａ，ＩＣ１５ａ，ＩＣ１６ａ，ＩＣ１７ａとの間での相違点及び類似点を容易に視認し得るように表示できる。従って、目視による文字同定を支援できるようになる。
【００８９】
このように、基準文字ＩＳ１１に類似する被比較文字ＩＣ１１〜ＩＣ１７を夫々抽出すると共に、これら複数の被比較文字ＩＣ１１〜ＩＣ１７及び基準文字ＩＳ１１の特徴を強調する処理を、文字同定支援装置１０の制御手段１２により実行し、図１１に示すように、特徴強調処理前の基準文字ＩＳ１１及び被比較文字ＩＣ１１〜ＩＣ１７と、特徴強調処理後の基準文字ＩＳ１１ａ及び被比較文字ＩＣ１１ａ〜ＩＣ１７ａとを、第２の判定者用画面Ｄ２として同一画面上に表示する。なお、この判定者用画面Ｄ２は、この文字同定が情報処理装置２０ａから文字同定支援装置１０に要求された場合、情報処理装置２０ａの表示手段２１ａにより表示される。
【００９０】
この判定者用画面Ｄ２は、画面上端の区画された表題表示領域ＣＤに、Ａシステムにより基準文字ＩＳ１１に付番された文字コード番号「１２５３５６」と、被比較文字ＩＣ１１〜ＩＣ１７にＢ乃至Ｈシステムにより夫々付番された文字コード番号とを、これらの文字が夫々属するシステムの名称と共に、表題を兼ねるように表示する。また、これらの被比較文字ＩＣ１１〜ＩＣ１７の中から同定する文字を選定するための「同定チェック」ボックスも、この表題表示領域ＣＤに表示される。
【００９１】
これらの表題表示領域ＣＤの下に、基準文字ＩＳ１１及び被比較文字ＩＣ１１〜ＩＣ１７と、これら基準文字ＩＳ１１及び被比較文字ＩＣ１１〜ＩＣ１７の特徴を強調する処理が１回実行された文字画像ＩＳ１１ａ，ＩＣ１１ａ〜ＩＣ１７ａと、この特徴を強調する処理が２回実行された図形画像Ｆ１とが、文字同定支援装置１０の制御手段１２によって階層表示される。また、この制御手段１２は、この階層表示された基準文字ＩＳ１１及び被比較文字ＩＣ１１〜ＩＣ１７の特徴を分類すると共に、分類された被比較文字ＩＣ１１ａ〜ＩＣ１７ａ及び基準文字ＩＳ１１ａの特徴に関して、上位階層の被比較文字ＩＣ１１〜ＩＣ１７及び基準文字ＩＳ１１と下位階層の被比較文字ＩＣ１１ａ〜ＩＣ１７ａ及び基準文字ＩＳ１１ａと、更に下位階層の図形画像Ｆ１の間を結線するツリー構造状に特徴強調処理前後の被比較文字ＩＣ１１〜ＩＣ１７及び基準文字ＩＳ１１を情報処理装置２０ａの表示手段２１ａにより表示するためのデータをネットワーク上で提供する。
【００９２】
この判定者用画面Ｄ２において、特徴強調処理を１回実行後の基準文字ＩＳ１１ａ及び被比較文字ＩＣ１１ａ〜ＩＣ１５ａは、閉孔部（サークル）が存在しないグループＧ０に分類される。同様に、特徴強調処理を１回実行後の被比較文字ＩＣ１６ａは、１つのサークルｇ１が存在するグループＧ１に分類され、特徴強調処理を１回実行後の被比較文字ＩＣ１７ａは、２つのサークルｇ２が存在するグループＧ２に分類される。
【００９３】
従って、基準文字ＩＳ１１及び被比較文字ＩＣ１１〜ＩＣ１５とサークルが存在しないグループＧ０とが、制御手段１２により線ＬＮ０を結ばれて関係付けられる。また、被比較文字ＩＣ１６は１つのサークルｇ１が存在するグループＧ１と線ＬＮ１を結ばれて関係付けられ、被比較文字ＩＣ１７は２つのサークルｇ２が存在するグループＧ２と線ＬＮ２を結ばれて関係付けられる。
【００９４】
特徴強調処理を２回実行後、全ての図形画像Ｆ１がサークルの存在しないグループＧ３に分類されるので、特徴強調処理を１回実行後のグループＧ０，Ｇ１，Ｇ２と最下位階層のグループＧ３とが、制御手段１２により線ＬＮ３を結ばれて関係付けられる。
【００９５】
従って、基準文字ＩＳ１１及び被比較文字ＩＣ１１〜ＩＣ１７の全てが１つのグループＧ３に収束するツリー構造（Ｔｒｅｅ  Ｓｔｒｕｃｔｕｒｅ：木構造）、即ち、これらの文字の異同が生成された過程を示唆する進化系統図のように、基準文字ＩＳ１１及び被比較文字ＩＣ１１〜ＩＣ１７の類似点及び相違点を明瞭に表示できるので、目視による文字同定を視覚的に支援できる。このため、このような画像処理による分類及びツリー構造による表示がなく、目視のみに頼った文字同定と比較して、作業効率を向上することができる。
【００９６】
また、このツリー構造は、文字の歴史的変化を反映する場合があるため、学術的価値が高い。従って、このツリー構造をデータとして保存及び開示することによって、社会的及び文化的付加価値を提供することもできる。
【００９７】
文字同定支援装置１０の制御手段１２は、基準文字ＩＳ１１と被比較文字ＩＣ１１〜ＩＣ１７との相違部分を変色表示するためのデータをネットワーク上で情報処理装置２０ａに提供する。図１１に示した判定者用画面Ｄ２では、基準文字ＩＳ１１ａと、被比較文字ＩＣ１６ａ及び被比較文字ＩＣ１７ａとの間には、サークル数の相違が存在するので、このサークルｇ１，ｇ２部分を、例えば、蛍光黄色等に変色表示する。これによって、基準文字ＩＳ１１ａの属するグループＧ０と、１又は２つのサークルが存在するグループＧ１，Ｇ２との相違点をより明瞭に表示できるので、文字同定をより迅速に実行できるように支援できる。
【００９８】
制御手段１２は、情報処理装置２０ａを介して文字同定があった場合、例えば図１１に示したように、チェックボックスＣＨ２，ＣＨ３，ＣＨ４に情報処理装置２０ａのオペレータ等によりチェックをされて被比較文字ＩＣ１１，ＩＣ１２，ＩＣ１４が文字同定された場合、これらの被比較文字ＩＣ１１，ＩＣ１２，ＩＣ１４を他の文字に関する文字同定の際には被比較文字としない。これによって、１つの文字が多数の文字同定で比較対象となるような作業上の非効率を排除できる。
【００９９】
この制御手段１２は、文字同定がなかった場合、第１の文字同定支援例と同様に、基準文字コード１１２と関連付けたコード番号を生成すると共に、このコード番号及び基準情報１１１をＢ乃至Ｈシステムに提供する。これによって、Ａシステムと同一文字がないＢ乃至Ｈシステムに、この同一文字を基準文字コード１１２と関連付けた文字コード番号と共に提供できるようになる。
【０１００】
従って、Ａ乃至Ｈシステムの全システムが、文字同定支援装置１０の記憶手段１１に記憶（保存）された文字コード変換表Ｔによって、同一文字を共通利用できるようになるため、１つの文字、例えば、「門」に１つの文字情報（基準情報１１１）を対応させて１つの文字コード（基準文字コード）１１２によって管理できる。
【０１０１】
次に、この第２の文字同定支援システム１００の動作例を、本発明に係る第２の情報処理方法の実施形態として、図１２に示すフローチャートを参照しながら説明する。図１２は、この第２の文字同定支援システム１００による第２の文字同定支援例を示すフローチャートである。
【０１０２】
この第２の実施形態では、上述した文字同定支援装置１０の記憶手段１１に記憶された基準情報１１１と被比較情報とを比較して基準文字ＩＳ１１に類似する被比較文字を夫々抽出し、図１０に示したように、基準文字ＩＳ１１及び被比較文字ＩＣ１１〜ＩＣ１７の特徴を強調する処理を実行すると共に、図１１に示したように、特徴強調処理された基準文字ＩＳ１１ａ及び被比較文字ＩＣ１１ａ〜ＩＣ１７ａを同一画面上に、第２の判定者用画面Ｄ２のように表示することを前提条件とする。
【０１０３】
これを前提として、先ず、図１２に示すフローチャートのステップＳ２０１で、任意の文字を生成するための文字情報を複数取得する。これら複数の文字情報の中で、この文字を同定する際の基準となる文字情報は、情報処理装置２０ａによるＡシステムから取得されて記憶手段１１に記憶された基準情報１１１であり、この基準情報１１１と比較される文字情報は、他の複数の情報処理装置２０による複数のＢ乃至Ｈシステムから取得された複数の被比較情報である。
【０１０４】
次のステップＳ２０２で、図９に示したサブルーチンをコールすることによって、被比較文字を抽出する。なお、この図９に示したフローチャートによる被比較文字の抽出は、第１の文字同定支援例において詳述したので、ここでは説明を省略する。
【０１０５】
次のステップＳ２０３で、基準文字ＩＳ１１及び被比較文字ＩＣ１１〜ＩＣ１７に特徴強調処理を施し、ステップＳ２０４で、特徴強調処理された基準文字ＩＳ１１ａ及び被比較文字ＩＣ１１ａ〜ＩＣ１７ａを、この特徴強調処理により明確化された特徴、例えば、文字画像に存在するサークル数等に基づいて分類する。
【０１０６】
次のステップＳ２０５で、基準文字ＩＳ１１及び被比較文字ＩＣ１１〜ＩＣ１７と、分類された基準文字ＩＳ１１ａ及び被比較文字ＩＣ１１ａ〜ＩＣ１７ａとを、図１１に示した判定者用画面Ｄ２のように、結線ＬＮ０，ＬＮ１，ＬＮ２によって夫々関係付けると共に、特徴強調処理前後の文字画像を階層表示する。
【０１０７】
ステップＳ２０６で、基準文字ＩＳ１１ａ及び被比較文字ＩＣ１１ａ〜ＩＣ１７ａが全て同じグループに収束していない場合（Ｙｅｓ）、ステップＳ２０３に戻り、特徴強調処理を再び実行する。このように、ステップＳ２０３乃至ステップＳ２０６を、基準文字ＩＳ１１を含む全ての文字が１つのグループＧ３に収束するまで繰り返す。そして、全ての文字が１つのグループＧ３に属するようになったとき、ステップＳ２０６で、特徴強調処理の必要がないので（Ｎｏ）、この全文字が収束するグループＧ３を幹とし、特徴強調処理前の基準文字ＩＳ１１及び被比較文字ＩＣ１１〜ＩＣ１７を末端枝とするようなツリー構造を表示手段２１ａにより表示して終了する。
【０１０８】
このように本発明に係る第２の実施形態としての文字同定支援システムによる情報処理例によれば、ボカシ処理及びシャープネス処理を組み合わせた特徴強調処理により明確化された特徴に関して分類された図形画像と、基準文字ＩＳ１１及び複数の被比較文字ＩＣ１１〜ＩＣ１７とを結線してツリー構造を表示することによって、これらの基準文字ＩＳ１１及び被比較文字ＩＣ１１〜ＩＣ１７における類似点及び相違点を明瞭に視認し得るように表示できるので、目視による文字同定を支援できる。
【０１０９】
【発明の効果】
以上説明したように、本発明に係る第１の文字同定支援システム及び情報処理方法によれば、任意の文字を生成するための文字情報に基づいて文字同定を支援する場合に、複数の文字情報を取得して文字同定を支援する文字同定支援装置を備え、基準情報と複数の被比較情報とを比較してこの文字に近似する被比較文字を夫々抽出すると共に、抽出された被比較文字をこの文字に近似する順に並べてこの文字と共に同一画面上に表示するものである。
【０１１０】
この構成によって、この文字との近似度が大きく同定される確率が高い被比較文字を優先的に表示できるため、目視による文字同定を支援できる。従って、迅速かつ容易に文字を同定できるようになるので、多数の被比較文字が存在する場合であっても、文字同定を短時間で完了できる。このため、同一文字に対して重複する文字情報を効率的に削除できるので、１つの文字に１つの文字情報を対応させて１つの文字コードによって管理できるようになる。よって、この１つの文字コードにより管理された文字情報を複数の情報処理装置でシステム構成に依存することなく共通使用できると共に、これらの文字情報及び文字コードを記憶するための記憶容量も節減できる。
【０１１１】
本発明に係る第２の文字同定支援システム及び情報処理方法によれば、任意の文字を生成するための文字情報に基づいて文字同定を支援する場合に、複数の文字情報を取得して文字同定を支援する文字同定支援装置を備え、基準情報と複数の被比較情報とを比較してこの文字に類似する被比較文字を夫々抽出すると共に、この被比較文字及びこの文字の特徴を強調する処理を実行し、特徴強調処理された被比較文字及びこの文字を同一画面上に表示するものである。
【０１１２】
この構成によって、この文字と複数の被比較文字における特徴を明瞭に視認し得るように表示できるので、目視による文字同定を支援できる。従って、これらの文字における類似点を容易に把握できると共に、迅速に文字を同定できるようになるので、多数の被比較文字が存在するような場合であっても、文字同定を短時間で完了できる。このため、同一文字に対して重複する文字情報を効率的に削除できるので、１つの文字に１つの文字情報を対応させて１つの文字コードによって管理できるようになる。よって、この１つの文字コードにより管理された文字情報を複数の情報処理装置でシステム構成に依存することなく共通使用できると共に、これらの文字情報及び文字コードを記憶するための記憶容量も節減できる。
【０１１３】
本発明に係る第１の文字同定支援装置によれば、任意の文字を生成するための文字情報に基づいてネットワーク上で文字同定を支援する場合に、この文字を同定する際の基準となる基準情報を記憶する記憶手段を備え、基準情報と複数の被比較情報とを比較してこの文字に近似する被比較文字を夫々抽出すると共に、抽出された被比較文字をこの文字に近似する順に並べてこの文字と共に同一画面上に表示するためのデータを提供するものである。
【０１１４】
この構成によって、この文字との近似度が大きく同定される確率が高い被比較文字を優先的に表示できるため、目視による文字同定を支援できる。従って、迅速かつ容易に文字を同定できるようになるので、多数の被比較文字が存在する場合であっても、文字同定を短時間で完了できる。このため、同一文字に対して重複する文字情報を効率的に削除できるので、１つの文字に１つの文字情報を対応させて１つの文字コードによって管理できるようになる。よって、この１つの文字コードにより管理された文字情報を複数の情報処理装置でシステム構成に依存することなく共通使用できると共に、これらの文字情報及び文字コードを記憶するための記憶容量も節減できる。
【０１１５】
本発明に係る第２の文字同定支援装置によれば、任意の文字を生成するための文字情報に基づいてネットワーク上で文字同定を支援する場合に、この文字を同定する際の基準となる基準情報を記憶する記憶手段を備え、基準情報と複数の被比較情報とを比較してこの文字に類似する被比較文字を夫々抽出すると共に、この被比較文字及びこの文字の特徴を強調する処理を実行し、特徴強調処理された被比較文字及びこの文字を同一画面上に表示するためのデータを提供するものである。
【０１１６】
この構成によって、この文字と複数の被比較文字における特徴を明瞭に視認し得るように表示できるので、目視による文字同定を支援できる。従って、これらの文字における類似点を容易に把握できると共に、迅速に文字を同定できるようになるので、多数の被比較文字が存在するような場合であっても、文字同定を短時間で完了できる。このため、同一文字に対して重複する文字情報を効率的に削除できるので、１つの文字に１つの文字情報を対応させて１つの文字コードによって管理できるようになる。よって、この１つの文字コードにより管理された文字情報を複数の情報処理装置でシステム構成に依存することなく共通使用できると共に、これらの文字情報及び文字コードを記憶するための記憶容量も節減できる。
【０１１７】
本発明は、住民基本台帳ネットワークで接続されたシステムのように、１つの文字に対して複数の文字情報が重複して登録及び使用されたために複数の類似文字が存在するようなシステム及びこのようなシステム間での目視による文字同定及び重複文字情報の削除等に適用して極めて好適である。
【図面の簡単な説明】
【図１】文字同定支援システム１００の構成例を示す概念図である。
【図２】文字同定支援装置１０の構成例を示すブロック図である。
【図３】文字同定支援装置１０による文字情報のビットマップへの転写例を示す模式図である。
【図４】（ａ）はビットマップフォントＢＦ１における行方向でのオンビットボリュームの数値化例を示し、（ｂ）は列方向でのオンビットボリュームの数値化例を示す表である。
【図５】（ａ）は行方向ボリューム値と行数との関数から導出されたオンビットボリューム曲線Ｃ１の例を示すグラフであり、（ｂ）は列方向ボリューム値と列数との関数から導出されたオンビットボリューム曲線Ｃ２の例を示すグラフである。
【図６】文字同定支援装置１０による第１の判定者用画面の表示例である。
【図７】（ａ）は更新前の文字コード変換表Ｔを示す概念図であり、（ｂ）は欠字に文字コードを生成して更新した後の文字コード変換表Ｔを示す概念図である。
【図８】文字同定支援システム１００による第１の文字同定支援例を示すフローチャートである。
【図９】文字同定支援装置１０による被比較文字の抽出例を示すフローチャートである。
【図１０】文字同定支援装置１０による特徴強調処理例を示す模式図であって、（ａ）は特徴強調処理前の基準文字及び複数の被比較文字を示し、（ｂ）は特徴強調処理の前半工程実施後を示し、（ｃ）は特徴強調処理の後半工程実施後を示す図である。
【図１１】文字同定支援装置１０による第２の判定者用画面の表示例である。
【図１２】文字同定支援システム１００による第２の文字同定支援例を示すフローチャートである。
【符号の説明】
１０  文字同定支援装置
１１  記憶手段
１２  制御手段
１３  接続手段
１４  バス
２０  情報処理装置
２１  表示手段
２２  同定手段
３０  通信手段
１００  文字同定支援システム
１１１  文字情報
１１２  文字コード
１２１  ＣＰＵ
１２２  ＲＡＭ
１２３  ＲＯＭ
【図１】
2005031942.tif 000003
【図２】
2005031942.tif 000004
【図３】
2005031942.tif 000005
【図４】
2005031942.tif 000006
【図５】
2005031942.tif 000007
【図６】
2005031942.tif 000008
【図７】
2005031942.tif 000009
【図８】
2005031942.tif 000010
【図９】
2005031942.tif 000011
【図１０】
2005031942.tif 000012
【図１１】
2005031942.tif 000013
【図１２】
2005031942.tif 000014